(57)【特許請求の範囲】
【請求項１】
ノーバックル鋼帯結束機であって、
協働して鋼帯を切断して切欠を作る上刃体と下刃体とを備える刃体を含み、
前記下刃体は、分離又は合わせることが可能な分離型下刃体であり、前記下刃体は、左下刃体と右下刃体とを備え、前記左下刃体と前記右下刃体とは、分離又は合わせることが可能であり、前記左下刃体と前記右下刃体には、それぞれ刃または刃が装着されたブレードが設けられており、
ジョイントを形成する前には、前記分離型下刃体を合わせさせ、前記左下刃体の刃またはブレードの刃と前記右下刃体の刃またはブレードの刃との間には、一定の距離が保たれており、２つの刃面は、いずれも鋼帯の中央を向けており、ジョイントを形成した後には、前記上刃体を上昇させ、前記左下刃体と右下刃体を直線状に鋼帯の左右両側にそれぞれ分離させて前記鋼帯の下方から水平に引き出すようにする、
ノーバックル鋼帯結束機。
【請求項２】
機台とフィードローラーとを更に備え、前記フィードローラーと前記刃体とは、前記機台に装着されており、前記機台は、前記フィードローラーと前記刃体とを上下に移動させる、
請求項１に記載のノーバックル鋼帯結束機。
【請求項３】
前記左下刃体と前記右下刃体には、それぞれ刃が設けられており、ジョイントを形成した後に、前記鋼帯の切欠は、前記左下刃体の刃と前記右下刃体の刃との間に位置する、
請求項１に記載のノーバックル鋼帯結束機。
【請求項４】
前記左下刃体と前記右下刃体には、それぞれ刃が装着されたブレードが設けられており、前記鋼帯における切断して形成された切欠は、前記左下刃体のブレードと前記右下刃体のブレードとの間に位置する、
請求項１に記載のノーバックル鋼帯結束機。
【発明の詳細な説明】
【技術分野】
【０００１】
本発明は、結束機の分野に関し、具体的に、ノーバックル鋼帯結束機の分離型下刃体に関する。
【背景技術】
【０００２】
ノーバックル鋼帯結束機は、操作が便利で、結束の外観がよく、コストが安い等の利点がある。しかしながら、以下の３つの欠点があるため、その普及および応用が制限されている。１つ目は、ノーバックル鋼帯結束機の下刃体は、一体不可分なものであって、奥側にフックがあり、ジョイントが形成された後下刃体を引き出す前に、フックで鋼帯を引き上げて、下刃体を引き出さなければならない。しかし、フックがあるため、下刃体の鋼帯の長手方向でのサイズが大きく、厚さが厚い上に、鋼帯に対するフックの上向きの引張力作用により、下刃体が鋼帯の下方から引き出された後、鋼帯と被結束物の上面との間に大きな隙間があり、被結束物に対する結束がタイトではない。被結束物が小型であるほどこのような問題が大きい。２つ目は、鋼帯でジョイントを形成した後、下刃体を引き出す際に、鋼帯に引っかかられることが発生しやすい。３つ目は、ノーバックル鋼帯結束機の下刃体は、設計上の問題で、小型の被結束物を結束することができない。被結束物が小型であるほど、下刃体を鋼帯の下方から引き出すことが難く、ひいては引き出せないこともある。したがって、結束がタイトで、鋼帯を傷つけず、小型の被結束物を結束することができる結束機の下刃体を開発し設計することは、ノーバックル鋼帯結束機の性能を向上させるのに不可欠である。
【発明の概要】
【０００３】
従来技術における問題点を解決するために、本発明は、ノーバックル鋼帯結束機の分離型下刃体を提供することを目的とする。具体的な特徴は、以下の通りである。ノーバックル鋼帯結束機の下刃体は、２つの分離および合わせることが可能な分離型下刃体で構成され、ジョイントを形成する前には、２つの下刃体を合わせさせ、ジョイントを形成した後には、２つの下刃体を分離させて鋼帯から離れるようにする。２つの下刃体は、いずれも刃又は刃が装着されたブレードを備えており、合わせられた時に、２つの下刃体又はブレードの刃面の間は、一定の距離が保たれて、２つの刃面は、いずれも鋼帯の中央を向いており、ジョイントを形成した後、鋼帯の切欠は、いずれも２つの刃面の間に位置する。このため、鋼帯の下方から２つの下刃体を引き出す際に、鋼帯の切欠は下刃体を妨げず、フックを使用し鋼帯を引き上げる必要がない。分離型下刃体の利点は、以下の通りである。１つ目は、下刃体にフックがないので、鋼帯の長手方向におけるサイズが小さく、厚さが薄いため、結束がタイトである。２つ目は、２つの下刃体又はブレードの刃面は、いずれも鋼帯の切欠の外側に位置するため、下刃体が鋼帯の両側へ分離され、鋼帯の下方から引き出される際に、鋼帯を傷つけることがない。３つ目は、２つの下刃体を有する結束機において、フックにより鋼帯を引き上げるステップがなくなったため、小型の被結束物を結束することができる。
【０００４】
本発明の具体的な手段は、ノーバックル鋼帯結束機の分離型下刃体であって、図１に示すように、上刃体１と、左下刃体２と、右下刃体３と、フィードローラー４と、機台７と、を有する。上刃体１と、左下刃体２と、右下刃体３と、フィードローラー４とは、いずれも上下に移動可能な機台７に装着されている。上刃体１と、左下刃体２と、右下刃体３とは、いずれも刃又は刃が装着されたブレードを備えており、上刃体１は、上下に移動可能で、左下刃体２と、右下刃体３とは、分離又は合わせることが可能である。結束機により被結束物５を結束しょうとする場合、左下刃体２と右下刃体３とを合わせさせた後、フィードローラー４を正方向に回転させて、鋼帯６を送り出して上刃体と下刃体との間から通過させる。鋼帯６の帯ヘッドが被結束物５を一周巻いて二回目に上刃体と下刃体の間に着くと、鋼帯６が重ね合わせられるので、フィードローラー４の供給を停止し、機台７は、左下刃体２と右下刃体３との下面が被結束物５の上面に密着するまで下降させる。その後、フィードローラー４は、逆方向に回転して、鋼帯６を外側に引っ張り出し、鋼帯６を被結束物５にタイトに巻き付けた後、上刃体１を下方に移動させて、左下刃体２と右下刃体３と共に鋼帯６を切断し切欠を作り、ジョイントを形成する。ジョイントが形成されると、上刃体１を上昇させ、左下刃体２と右下刃体３とは、左右両側に分離させて、鋼帯６の下方から引き出す。下刃体が引き出された後、機台７を上昇させてスタート位置に戻させ、左下刃体２と右下刃体３とを中央位置に合わせさせて、次の結束を準備する。このようにして、一回の結束工程が完了する。
【図面の簡単な説明】
【０００５】
【図１】本発明の具体的な構造の全体を示す模式図である。
【図２】本発明の具体的な構造の部分断面を示す模式図である。
【図３】本発明の機台７が下降したのを示す模式図である。
【図４】本発明のフィードローラー４が逆方向に回転して、鋼帯６を外側に引っ張り出すことを示す模式図である。
【図５】本発明の上刃体１を下方に移動させて、鋼帯６を切断し切欠を作り、ジョイントを形成することを示す模式図である。
【図６】本発明のジョイントを形成した後に、上刃体１を上昇させることを示す模式図である。
【図７】本発明の左下刃体２と右下刃体３とを左右両側に分離させて、鋼帯６の下方から引き出すことを示す模式図である。
【図８】本発明の機台７を上昇させてスタート位置に戻させることを示す模式図である。
【図９】本発明の左下刃体２と右下刃体３とを中央位置に合わせさせて、次の結束を準備することを示す模式図である。
【発明を実施するための形態】
【０００６】
以下、本発明の具体的な構造について図面を参照して詳しく説明する。図１、図２に示すように、ノーバックル鋼帯結束機の分離型下刃体であって、上刃体１と、左下刃体２と、右下刃体３と、フィードローラー４と、機台７と、鋼帯６と、被結束物５と、を有する。上刃体１と、左下刃体２と、右下刃体３と、フィードローラー４とは、いずれも上下に移動可能な機台７に装着されている。上刃体１と、左下刃体２と、右下刃体３とは、いずれも刃又は刃が装着されたブレードを備える。左下刃体２と、右下刃体３とは、分離又は合わせることが可能である。左下刃体２と右下刃体３が合わせられると、上刃体１は下方に移動して、左下刃体２と右下刃体３と共に鋼帯６を切断し切欠を作り、ジョイントを形成する。
【０００７】
図２に示すように、結束機により被結束物５を結束しょうとする場合、左下刃体２と右下刃体３とを合わせさせた後、フィードローラー４を正方向に回転させて、鋼帯６を送り出して上刃体と下刃体との間から通過させる。鋼帯６の帯ヘッドが被結束物５を一周巻いて二回目に上刃体と下刃体の間に着くと、鋼帯６が重ね合わせられるので、フィードローラー４は供給を停止する。図３に示すように、機台７は、左下刃体２と右下刃体３との下面が被結束物５の上面に密着するまで、上刃体１と、左下刃体２と、右下刃体３およびフィードローラー４を動かしてスタート位置から下降させる。図４に示すように、フィードローラー４は、逆方向に回転して、鋼帯６を外側に引っ張り出し、鋼帯６を被結束物５にタイトに巻き付ける。図５に示すように、上刃体１は下方に移動して、左下刃体２と右下刃体３と共に鋼帯６を切断し切欠を作り、ジョイントを形成する。図６に示すように、ジョイントが形成されると、上刃体１を上昇させる。図７に示すように、左下刃体２と右下刃体３とをそれぞれ鋼帯６の両側に分離させて、鋼帯６の下方から引き出す。図８に示すように、機台７を上昇させてスタート位置に戻させる。図９に示すように、左下刃体２と右下刃体３とを合わせさせて、次の結束を準備する。このようにして、一回の結束工程が完了する。
【図１】
0006526217.tif 000002
【図２】
0006526217.tif 000003
【図３】
0006526217.tif 000004
【図４】
0006526217.tif 000005
【図５】
0006526217.tif 000006
【図６】
0006526217.tif 000007
【図７】
0006526217.tif 000008
【図８】
0006526217.tif 000009
【図９】
0006526217.tif 000010